(57)【要約】【課題】製品収納用トレイを１枚のシートを複数回折り曲げて接着剤なしで組み立て、収納スペースの可能な限りの拡大化を図りながら、外形の寸法の安定化と、輸送中の落下、振動等に対する強度の確保とを成立させる。【解決手段】第１側面の左右両端からそれぞれ伸び、一方が第３側面５側に折り曲げられ、他方が第４側面６側に折り曲げられる第１ロック用フラップ８，９と、第２側面の左右両端からそれぞれ伸び、一方が第３側面５側に折り曲げられ、他方が第４側面６側に折り曲げられる第２ロック用フラップ１０，１１と、底面から上方に間隔を空けて折り曲げられて配置される棚部とを設ける。第１及び第２ロック用フラップ８〜１１を第３側面５に沿う同一平面上と、第４側面６に沿う同一平面上とでそれぞれ互いに係合させ、第３側面５及び第４側面６をそれぞれ第１及び第２ロック用フラップ８〜１１を内部に包み込むように折り畳む。【選択図】図３
2009190760.tif 000002
【特許請求の範囲】
【請求項１】
１枚のシートを複数回折り曲げて成形され、対向する第１側面及び第２側面と、該第１側面及び第２側面の両隣の第３側面及び第４側面と、該第１乃至第４側面に連続する底面とを備える製品収納用トレイであって、
上記第１側面の左右両端からそれぞれ伸び、一方が上記第３側面側に折り曲げられ、他方が上記第４側面側に折り曲げられた第１ロック用フラップと、
上記第２側面の左右両端からそれぞれ伸び、一方が上記第３側面側に折り曲げられ、他方が上記第４側面側に折り曲げられた第２ロック用フラップと、
上記第１側面及び第２側面のいずれか一方の上辺に連続し、底面から上方に間隔を空けて折り曲げられて配置される棚部とを備え、
上記第１及び第２ロック用フラップは、上記第３側面に沿う同一平面上と、上記第４側面に沿う同一平面上とでそれぞれ互いに係合され、
上記第３側面及び第４側面は、それぞれ上記第１及び第２ロック用フラップを内部に包み込むように折り畳まれている
ことを特徴とする製品収納用トレイ。
【請求項２】
請求項１に記載の製品収納用トレイであって、
上記第１及び第２ロック用フラップの先端部は、それぞれＬ字形状であり、上下対称の両先端部が互いに係合されている
ことを特徴とする製品収納用トレイ。
【請求項３】
請求項１に記載の製品収納用トレイであって、
上記第１及び第２ロック用フラップの先端の一方は円形孔を有し、他方は円形部を有し、両者が互いに係合されている
ことを特徴とする製品収納用トレイ。
【請求項４】
請求項１乃至３のいずれか１つに記載の製品収納用トレイであって
上記棚部には、貫通孔が形成されている
ことを特徴とする製品収納用トレイ。
【請求項５】
請求項１乃至４のいずれか１つに記載の製品収納用トレイであって
上記第３及び第４側面は、下底よりも上底が大きい台形状である
ことを特徴とする製品収納用トレイ。
【請求項６】
請求項１乃至５のいずれか１つに記載の製品収納用トレイにおいて、
上記棚部の下方に製品の付属品が収納され、該棚部に該製品が収納される
ことを特徴とする製品収納用トレイ。
【請求項７】
請求項１乃至６のいずれか１つに記載の製品収納用トレイにおいて、
上記１枚のシートは段ボール製である
ことを特徴とする製品収納用トレイ。
【発明の詳細な説明】
【技術分野】
【０００１】
本発明は、携帯機器等の小型の電子製品及びその付属品を収納する製品収納用トレイに関するものである。
【背景技術】
【０００２】
従来より、１枚のシートを複数回折り曲げて成形され、対向する第１側面及び第２側面と、これら第１側面及び第２側面の両隣の第３側面及び第４側面と、こられ第１乃至第４側面に連続する底面とを備える製品収納用トレイは知られている。
【０００３】
例えば、特許文献１では、底面部の四隅部外方の隣接する側面部及び側面部の間に、それぞれ折目を介して各側面部に連続しかつ斜め方向の折目と該折目に連続する切込みにより２分形成した折込み片を有し、これら折込み片がそれぞれ一方の相対向する側面部に沿って折り込まれるようになっている。そして、側面部に連続する折込み片の端部には、折込み状態において互い違いに係合できるように一方は外向き、他方は内向きの切込みがそれぞれ形成され、これによって、対向する側板部同士を起立状態に保持できるようになっている。
【０００４】
また、例えば特許文献２の包装箱では、１枚のシート本体に横罫線と縦罫線及び切り溝を加工してシート本体の両端に側面板用の３枚のフラップを形成し、このフラップに抜孔を設け、シート本体を横罫線と縦罫線の折り曲げで箱体を構成し、３枚のフラップの重り合ってできる貫通孔に止め具を装着して組み立てている。
【特許文献１】実開平５−３４１１５号公報
【特許文献２】特開平７−２９１２５８号公報
【発明の開示】
【発明が解決しようとする課題】
【０００５】
しかしながら、上記特許文献１の製品収納用トレイでは、折込み片の端部を互い違いに係合しているため、その部分の厚みが厚くなるという問題がある。
【０００６】
また、特許文献２の製品収納用トレイでは、対向する側面から延びるフラップ同士の係合がないため、厚さは抑えられているものの、特別な留め具を堅固に装着しない限り側面同士が開く状態になり、箱の外形寸法が不安定となるという問題がある。留め具を用いると部品点数が増えると共に、組立が煩雑になる。
【０００７】
本発明は、かかる点に鑑みてなされたものであり、その目的とするところは、製品収納用トレイにおいて、接着剤なしで組み立てられ、製品の収納スペースの可能な限りの拡大化を図りながら、外形の寸法の安定化と、輸送中の落下、振動等に対する強度の確保とを成立させることにある。
【課題を解決するための手段】
【０００８】
上記の目的を達成するために、この発明では、第１側面及び第２側面を互いにロックする第１及び第２ロック用フラップを第３側面に沿う同一平面上と、第４側面に沿う同一平面上とでそれぞれ互いに係合するようにした。
【０００９】
具体的には、第１の発明では、１枚のシートを複数回折り曲げて成形され、対向する第１側面及び第２側面と、該第１側面及び第２側面の両隣の第３側面及び第４側面と、該第１乃至第４側面に連続する底面とを備える製品収納用トレイを対象とする。
【００１０】
そして、上記製品収納用トレイは、
上記第１側面の左右両端からそれぞれ伸び、一方が上記第３側面側に折り曲げられ、他方が上記第４側面側に折り曲げられた第１ロック用フラップと、
上記第２側面の左右両端からそれぞれ伸び、一方が上記第３側面側に折り曲げられ、他方が上記第４側面側に折り曲げられた第２ロック用フラップと、
上記第１側面及び第２側面のいずれか一方の上辺に連続し、底面から上方に間隔を空けて折り曲げられて配置される棚部とを備え、
上記第１及び第２ロック用フラップは、上記第３側面に沿う同一平面上と、上記第４側面に沿う同一平面上とでそれぞれ互いに係合され、
上記第３側面及び第４側面は、それぞれ上記第１及び第２ロック用フラップを内部に包み込むように折り畳まれている。
【００１１】
上記の構成によると、１枚のシートを順次折り畳むことで、直方体箱状の製品収納用トレイが接着剤や留め具を用いることなく組み立てられる。また、第１及び第２側面の左右両端からそれぞれ伸びる第１及び第２ロック用フラップを互いに係合した状態で第３及び第４側面で包み込むことにより、第１及び第２側面が確実にロックされるので、外形の寸法が安定し、輸送中の落下、振動等に対する強度が確保される。さらに、第１及び第２ロック用フラップが同一平面上でそれぞれ重なることなく係合するので、第３及び第４側面の厚さが抑えられ、製品の収納スペースが維持される。また、棚部を設けることで、棚部の下方と棚部上とに効率よく製品が収納される。
【００１２】
第２の発明では、第１の発明において、
上記第１及び第２ロック用フラップの先端部は、それぞれＬ字形状であり、上下対称の両先端部が互いに係合されている。
【００１３】
上記の構成によると、上下対称のＬ字形状の先端部が係合することで、先端部の周縁同士の当接点で互いに拘束し合って、左右方向及び上下方向に確実にロックされ、第１側面及び第２側面が互いに離れることはないので、製品収納用トレイの形状が安定する。
【００１４】
第３の発明では、第１の発明において、
上記第１及び第２ロック用フラップの先端の一方は円形孔を有し、他方は円形部を有し、両者が互いに係合されている。
【００１５】
上記の構成によると、円形部が円形孔に係合することで、第１側面及び第２側面が確実にロックされ、第１側面及び第２側面が互いに離れることはなく、製品収納用トレイの形状が安定する。
【００１６】
第４の発明では、第１乃至第３のいずれか１つの発明において、
上記棚部には、貫通孔が形成されている。
【００１７】
上記の構成によると、貫通孔を覗くことで棚部よりも下方に何が収納されているかが容易に判明できる。
【００１８】
第５の発明では、第１乃至第４のいずれか１つの発明において、
上記第３及び第４側面は、下底よりも上底が大きい台形状である。
【００１９】
上記の構成によると、製品収納用トレイの入口側の開口の大きさが底面よりも大きくなるので、製品を収納しやすい一方、第１及び第２側面が互いに離れやすくなるが、第１及び第２ロック用フラップが互いに堅固に係合しているので、第１及び第２側面が互いに離れることはなく、製品収納用トレイの形状が安定する。
【００２０】
第６の発明では、第１乃至第５のいずれか１つの発明において、
上記棚部の下方に製品の付属品が収納され、該棚部に該製品が収納される。
【００２１】
上記の構成によると、付属品が棚部で覆われるので、製品収納用トレイから飛び出すことはなく、また、製品を棚部に容易に収納できる。このため、製品とその付属品が小さなスペースで収納可能となる。
【００２２】
第７の発明では、第１乃至第６のいずれか１つの発明において、
上記１枚のシートは段ボール製である。
【００２３】
上記の構成によると、軽量、安価かつリサイクル可能な製品収納用トレイが得られる。
【発明の効果】
【００２４】
以上説明したように、本発明によれば、第１側面及び第２側面を互いにロックする第１及び第２ロック用フラップを第３側面に沿う同一平面上と、第４側面に沿う同一平面上とでそれぞれ互いに係合させ、第３側面及び第４側面において、第１及び第２ロック用フラップを内部に包み込むように折り畳んだことにより、製品収納用トレイが接着剤なしで組み立てられると共に、製品の収納スペースの可能な限りの拡大化を図りながら、外形の寸法の安定化と、輸送中の落下、振動等に対する強度の確保とを成立させることができる。
【発明を実施するための最良の形態】
【００２５】
以下、本発明の実施形態を図面に基づいて説明する。
【００２６】
（実施形態１）
図１は本発明の実施形態１の製品収納用トレイ１を示し、この製品収納用トレイ１は、図２に示す１枚のシート２を複数回折り曲げて成形される。製品収納用トレイ１は、対向する第１側面３及び第２側面４と、これら第１側面３及び第２側面４の両隣の第３側面５及び第４側面６と、これら第１乃至第４側面３〜６に連続する底面７とを備えている。
【００２７】
第１側面３側から見たときに、第１側面３の左右両端から第１ロック用フラップ８，９がそれぞれ伸びている。一方の左側第１ロック用フラップ８が第３側面５側に折り曲げられ、他方の右側第１ロック用フラップ９が上記第４側面６側に折り曲げられるようになっている。
【００２８】
同様に、第２側面４の左右両端から第２ロック用フラップ１０，１１がそれぞれ伸びている。一方の左側第２ロック用フラップ１０が第３側面５側に折り曲げられ、他方の右側第２ロック用フラップ１１が第４側面６側に折り曲げられるようになっている。
【００２９】
第１側面３の上辺からは、連結部３ａが延びている。第１側面３と連結部３ａとの間には、開口３ｂが形成され、連結部３ａを第１側面３の内面側に折り曲げたときに、切欠３ｃが形成されるようになっている。この連結部３ａには、棚部１２が連続して形成されている。棚部１２は、連結部３ａを折り曲げて第１側面３の内面に当接させ、先端のフラップ１２ａを第２側面４の内面と底面７とに当接させた状態で、この底面７から上方に間隔を空けて配置されるようになっている。フラップ１２ａの先端が底面７に当接することにより、底面７との間で水平度が維持されている。棚部１２には、貫通孔１３が形成されている。
【００３０】
一方、第２側面４の上辺からは、フラップ部４ａが延びている。第２側面４とフラップ部４ａとの間には、開口４ｂが形成され、フラップ部４ａを第２側面４の内面側に折り曲げたときに、切欠４ｃが形成されるようになっている。
【００３１】
図３に示すように、第１及び第２ロック用フラップ８〜１１は、第３側面５に沿う同一平面上と、第４側面６に沿う同一平面上とでそれぞれ互いに係合されるようになっている。第１及び第２ロック用フラップ８〜１１の先端部８ａ〜１１ａは、それぞれＬ字形状であり、上下対称の先端部８ａと先端部１０ａ及び先端部９ａと先端部１１ａが互いに係合するように形成されている。
【００３２】
第３側面５及び第４側面６は、それぞれフラップ部５ａ，６ａを有し、各フラップ部５ａ，６ａの左右両端には、差込片５ｂ，５ｃ，６ｂ，６ｃが連続して形成されている。このことで、第３側面５及び第４側面６が、フラップ部５ａ，６ａを内面側に折り込んで、一方の差込片５ｂ，６ｂを第１側面３の内面に当接させ、他方の差込片５ｃ，６ｃを第２側面４の内面に当接させた状態で、上記第１及び第２ロック用フラップ８〜１１を内部に包み込むように折り畳まれている。
【００３３】
折り畳まれた状態では、第３及び第４側面５，６は、下底の長さＬ２よりも上底の長さＬ１が大きい台形状となっている（Ｌ１＞Ｌ２）。
【００３４】
−製品収納用トレイの組立手順−
次に、本実施形態にかかる製品収納用トレイ１の組立手順について説明する。
【００３５】
まず、図２に示すように、段ボール板を切断する際に折り曲げ線２ａ等も形成しておく。
【００３６】
次いで、シート２を折り曲げ線２ａに沿って順に折り畳む。
【００３７】
最初に、第１及び第２側面３，４を起立させ、図３に示すように、第１及び第２ロック用フラップ８〜１１における上下対称のＬ字形状の先端部８ａと先端部１０ａ及び先端部９ａと先端部１１ａをそれぞれ係合させる。
【００３８】
次いで、第３側面５及び第４側面６を起立させ、第３側面５及び第４側面６の内面を互いに係合した第１及び第２ロック用フラップ８〜１１の外面に当て、フラップ部５ａ，６ａを内面側に折り込んで、一方の差込片５ｂ，６ｂを第１側面３の内面に当接させ、かつ、他方の差込片５ｃ，６ｃを第２側面４の内面に当接させた状態で、第１及び第２ロック用フラップ８〜１１を内部に包み込むように折り畳む。
【００３９】
次いで、第２側面４のフラップ部４ａを第２側面４の内側に折り曲げ、差込片５ｃ，６ｃを包み込む。
【００４０】
最後に、第１側面３の連結部３ａを第１側面３の内面に当接させ、棚部１２の先端のフラップ１２ａを第４側面６の内面と底面７とに当接させて棚部１２を底面７から距離を空けて水平に固定して製品収納用トレイ１が完成する。
【００４１】
このように、１枚のシート２を順次折り畳むことで、上方が開口した直方体箱状の製品収納用トレイ１が接着剤なしで組み立てられる。シート２は段ボール製なので、軽量、安価かつリサイクル可能な製品収納用トレイ１が得られる。
【００４２】
組み立てられた状態では第３及び第４側面５，６は、下底よりも上底が大きい台形状であるため、製品収納用トレイ１の入口側の開口の大きさが底面７よりも大きくなり、製品を収納しやすくなっている。しかし、このように成形することで、第１及び第２側面３，４が互いに離れやすくなるが、第１及び第２側面３，４の左右両端からそれぞれ伸びる第１及び第２ロック用フラップ８〜１１を互いに係合した状態で第３及び第４側面５，６で包み込むことにより、先端部８ａの周縁と先端部１０ａ周縁との当接点及び先端部９ａの周縁と先端部１１ａの周縁との当接点で互いに拘束し合って、第１側面３及び第２側面４が互いに左右方向及び上下方向に確実にロックされて離れることはないので、製品収納用トレイ１の形状が安定し、輸送中の落下、振動等に対する強度が確保される。
【００４３】
さらに、第１及び第２ロック用フラップ８〜１１が同一平面上でそれぞれ重なることなく係合するので、第３及び第４側面５，６の厚さが抑えられ、製品の収納スペースが維持される。
【００４４】
一方、製品収納用トレイ１に製品を収納するときには、棚部１２を開いてその下方に例えば、携帯電話機の付属品が収納された後、再び棚部１２を水平に折り畳んで蓋をし、この水平な棚部１２の上に携帯電話機本体が収納される。このように梱包された製品収納用トレイ１と取扱い説明書を製品番号等が印刷された個装に梱包し、販売店等に納付する。
【００４５】
このとき、携帯電話機の付属品が棚部１２で覆われているので、付属品が製品収納用トレイ１から飛び出すことはなく、また、携帯電話機を棚部１２に容易に収納できる。このため、棚部１２の下方と棚部１２上とに効率よく携帯電話機とその付属品が収納される。
【００４６】
さらに、棚部１２には貫通孔１３が形成されているので、貫通孔１３から棚部１２よりも下方に付属品が収納されているかが容易に判明できる。
【００４７】
また、左右の切り欠き３ｃ，４ｃに指を挿入することで、棚部１２上の携帯電話機が取り出しやすくなっている。
【００４８】
−実施形態１の効果−
したがって、本実施形態にかかる製品収納用トレイ１によると、第１側面３及び第２側面４を互いにロックする第１及び第２ロック用フラップ８〜１１を第３側面５に沿う同一平面上と、第４側面６に沿う同一平面上とでそれぞれ互いに係合させ、第３側面５及び第４側面６において、第１及び第２ロック用フラップ８〜１１を内部に包み込むように折り畳んだことにより、製品収納用トレイ１が接着剤なしで組み立てられると共に、製品の収納スペースの可能な限りの拡大化を図りながら、外形の寸法の安定化と、輸送中の落下、振動等に対する強度の確保とを成立させることができる。
【００４９】
（実施形態２）
図４及び図５は本発明の実施形態２を示し、第１及び第２ロック用フラップの係合方法が異なる点で上記実施形態１と異なる。なお、本実施形態では、図１〜図３と同じ部分については同じ符号を付してその詳細な説明は省略する。
【００５０】
すなわち、図４に示すように、本実施形態の段ボール製のシート１０２の形状は、第１及び第２ロック用フラップ１０８〜１１１の形状が上記実施形態とは異なっている。
【００５１】
図５に示すように、上記第１及び第２ロック用フラップ１０８〜１１１の一方の先端１０８ａ，１０９ａは円形孔を有し、他方の先端１１０ａ，１１１ａは円形部を有している。これら円形部と円形孔とが互いに係合されている。
【００５２】
このため、本実施形態においても、円形部と円形孔とが互いに係合することで、第１側面３及び第２側面４が確実にロックされ、第１側面３及び第２側面４が互いに離れることはなく、製品収納用トレイ１の形状が安定する。
【００５３】
（その他の実施形態）
本発明は、上記実施形態について、以下のような構成としてもよい。
【００５４】
すなわち、上記実施形態では、収納する製品は、携帯電話機としたが、これに限定されず、付属品を有する小型の電子機器等でもよい。
【００５５】
上記実施形態では、シート２，１０２は段ボール製のものとしたが、樹脂製など他の材料であってもよい。
【００５６】
なお、以上の実施形態は、本質的に好ましい例示であって、本発明、その適用物や用途の範囲を制限することを意図するものではない。
【図面の簡単な説明】
【００５７】
【図１】本発明の実施形態１にかかる製品収納用トレイを示す斜視図である。
【図２】製品収納用トレイの展開図である。
【図３】第１ロック用フラップと第２ロック用フラップとが係合する様子を示す正面図である。
【図４】本発明の実施形態２にかかる製品収納用トレイの展開図である。
【図５】実施形態２にかかる製品収納用トレイの図３相当図である。
【符号の説明】
【００５８】
１      製品収納用トレイ
２      シート
３      第１側面
４      第２側面
５      第３側面
６      第４側面
７      底面
８，９  第１ロック用フラップ
８ａ，９ａ    先端部
１０，１１      第２ロック用フラップ
１０ａ，１１ａ    先端部
１２      棚部
１３      貫通孔
１０２      シート
１０８，１０９  第１ロック用フラップ
１０８ａ，１０９ａ    先端部
１１０，１１１      第２ロック用フラップ
１１０ａ，１１１ａ    先端部
【図１】
2009190760.tif 000003
【図２】
2009190760.tif 000004
【図３】
2009190760.tif 000005
【図４】
2009190760.tif 000006
【図５】
2009190760.tif 000007